(57)【要約】【課題】記録材の正確な坪量を導出することが可能な技術を提供する。【解決手段】画像形成装置が実行する処理は、制御装置１０１が記録材Ｓの種類の判定結果に基づいて、記録材Ｓの判定結果が普通紙か否かを判断するステップ（Ｓ１４１０）と、判定結果が普通紙の場合には（ステップＳ１４１０においてＹＥＳ)、記憶装置１２０に格納された第１坪量と第２坪量と読み出すステップ（Ｓ１４１５）と、第１坪量と第２坪量とを相加平均した平均坪量を導出するステップ（１４２５）とを含む。【選択図】図１４
2020064004.tif 000002
【特許請求の範囲】
【請求項１】
画像形成装置であって、
前記画像形成装置内において記録材を搬送するための搬送経路に向けて、第１の波長を有する第１照射光を照射する第１光源と、
前記搬送経路に向けて、前記第１の波長とは長さが異なる第２の波長を有する第２照射光を照射する第２光源と、
前記第１照射光の光量および前記第２照射光の光量と、前記第１照射光が前記記録材を透過したときの第１透過光の光量、および、前記第２照射光が前記記録材を透過したときの第２透過光の光量とを検出する光学センサーと、
照射光の光量と透過光の光量とから算出された透過率と、前記記録材の単位面積あたりの重さを示す坪量との対応関係を表わす複数の判定基準を格納する記憶装置と、
前記画像形成装置の動作を制御するための制御装置とを備え、
前記第１の波長および前記第２の波長は、他の波長よりも前記透過率と前記坪量との相関が高い波長であり、
前記制御装置は、
前記第１照射光の光量と、前記第１透過光の光量とから第１透過率を算出し、
前記第２照射光の光量と、前記第２透過光の光量とから第２透過率を算出し、
前記第１の波長における第１判定基準を用いて、前記第１透過率に対応する第１坪量を導出し、
前記第２の波長における第２判定基準を用いて、前記第２透過率に対応する第２坪量を導出し、
前記第１坪量と前記第２坪量とを平均した第１平均坪量を導出する、画像形成装置。
【請求項２】
前記第１の波長は、７５０ｎｍから９００ｎｍまでの間の波長を含み、
前記第２の波長は、４００ｎｍから４７０ｎｍまでの間の波長を含む、請求項１に記載の画像形成装置。
【請求項３】
前記光学センサーは、前記第１透過光の光量を検出する直前に、前記第１照射光の光量を検出し、前記第２透過光の光量を検出する直前に、前記第２照射光の光量を検出する、請求項１または２に記載の画像形成装置。
【請求項４】
前記制御装置は、
前記記録材における異なる箇所それぞれの前記第１透過率と、前記記録材における異なる箇所それぞれの前記第２透過率とを算出し、
前記第１判定基準を用いて、前記それぞれの第１透過率を平均した平均第１透過率に対応する前記第１坪量を導出し、
前記第２判定基準を用いて、前記それぞれの第２透過率を平均した平均第２透過率に対応する前記第２坪量を導出する、請求項１〜３のいずれか１項に記載の画像形成装置。
【請求項５】
前記搬送経路に向けて、可視光線の波長よりも短い第３の波長を有する第３照射光を照射する第３光源をさらに備え、
前記光学センサーは、前記第３照射光の光量と、前記第３照射光が前記記録材を透過したときの第３透過光の光量とを検出し、
前記制御装置は、
前記第３照射光の光量と、前記第３透過光の光量とから第３透過率を算出し、
前記第３の波長における第３判定基準を用いて、前記第３透過率に対応する第３坪量を導出し、
前記第１坪量と前記第２坪量と前記第３坪量とを平均した第２平均坪量を導出する、請求項１〜４のいずれか１項に記載の画像形成装置。
【請求項６】
画像形成装置であって、
前記画像形成装置内において記録材を搬送するための搬送経路に向けて、第１の波長を有する第１照射光を照射する第１光源と、
前記搬送経路に向けて、前記第１の波長とは長さが異なる第２の波長を有する第２照射光を照射する第２光源と、
前記第１照射光の光量および前記第２照射光の光量と、前記第１照射光が前記記録材を透過したときの第１透過光の光量、および、前記第２照射光が前記記録材を透過したときの第２透過光の光量とを検出する光学センサーと、
照射光の光量と透過光の光量とから算出された透過率と、前記記録材の単位面積あたりの重さを示す坪量との対応関係を表わす複数の判定基準を格納する記憶装置と、
前記画像形成装置の動作を制御するための制御装置とを備え、
前記第１の波長および前記第２の波長は、他の波長よりも前記透過率と前記坪量との相関が高い波長であり、
前記制御装置は、
前記第１照射光の光量と、前記第１透過光の光量とから第１透過率を算出し、
前記第２照射光の光量と、前記第２透過光の光量とから第２透過率を算出し、
前記第１透過率と前記第２透過率とを平均した平均透過率を算出し、
前記判定基準を用いて、前記平均透過率に対応する前記坪量を導出する、画像形成装置。
【請求項７】
画像形成装置の坪量導出方法であって、
第１の波長を有する第１照射光が、前記画像形成装置内において記録材を搬送するための搬送経路に向けて照射されたときの前記第１照射光の光量と、前記第１照射光が前記記録材を透過したときの第１透過光の光量とから第１透過率を算出するステップと、
前記第１の波長とは長さが異なる第２の波長を有する第２照射光が、前記搬送経路に向けて照射されたときの前記第２照射光の光量と、前記第２照射光が前記記録材を透過したときの第２透過光の光量とから第２透過率を算出するステップと、
照射光の光量と透過光の光量とから算出された透過率と、前記記録材の単位面積あたりの重さを示す坪量との対応関係を表わす複数の判定基準のうち、いずれかの判定基準を用いて、前記坪量を導出するステップとを備え、
前記坪量を導出するステップは、
他の波長よりも前記透過率と前記坪量との相関が高い前記第１の波長における第１判定基準を用いて、前記第１透過率に対応する第１坪量を導出することを含み、
前記他の波長よりも前記透過率と前記坪量との相関が高い前記第２の波長における第２判定基準を用いて、前記第２透過率に対応する第２坪量を導出することを含み、
前記第１坪量と前記第２坪量とを平均した第１平均坪量を導出することを含む、坪量導出方法。
【請求項８】
前記第１の波長は、７５０ｎｍから９００ｎｍまでの間の波長を含み、
前記第２の波長は、４００ｎｍから４７０ｎｍまでの間の波長を含む、請求項７に記載の坪量導出方法。
【請求項９】
前記第１透過率を算出するステップは、前記第１透過光の光量が検出される直前に検出された前記第１照射光の光量と、前記第１透過光の光量とから前記第１透過率を算出することを含み、
前記第２透過率を算出するステップは、前記第２透過光の光量が検出される直前に検出された前記第２照射光の光量と、前記第２透過光の光量とから前記第２透過率を算出することを含む、請求項７または８に記載の坪量導出方法。
【請求項１０】
前記第１透過率を算出するステップは、前記記録材における異なる箇所それぞれの前記第１透過率を算出することを含み、
前記第２透過率を算出するステップは、前記記録材における異なる箇所それぞれの前記第２透過率を算出することを含み、
前記坪量を導出するステップは、
前記第１判定基準を用いて、前記それぞれの第１透過率を平均した平均第１透過率に対応する前記第１坪量を導出することを含み、
前記第２判定基準を用いて、前記それぞれの第２透過率を平均した平均第２透過率に対応する前記第２坪量を導出することを含む、請求項７〜９のいずれか１項に記載の坪量導出方法。
【請求項１１】
可視光線の波長よりも短い第３の波長を有する第３照射光が、前記画像形成装置内において記録材を搬送するための搬送経路に向けて照射されたときの前記第３照射光の光量と、前記第３照射光が前記記録材を透過したときの第３透過光の光量とから第３透過率を算出するステップをさらに備え、
前記坪量を導出するステップは、
他の波長よりも前記透過率と前記坪量との相関が高い前記第３の波長における第３判定基準を用いて、前記第３透過率に対応する第３坪量を導出することを含み、
前記第１坪量と前記第２坪量と前記第３坪量とを平均した第２平均坪量を導出することを含む、請求項７〜１０のいずれか１項に記載の坪量導出方法。
【請求項１２】
画像形成装置の坪量導出プログラムであって、
前記坪量導出プログラムは、前記画像形成装置の動作を制御するための制御装置に、
第１の波長を有する第１照射光が、前記画像形成装置内において記録材を搬送するための搬送経路に向けて照射されたときの前記第１照射光の光量と、前記第１照射光が前記記録材を透過したときの第１透過光の光量とから第１透過率を算出するステップと、
前記第１の波長とは長さが異なる第２の波長を有する第２照射光が、前記搬送経路に向けて照射されたときの前記第２照射光の光量と、前記第２照射光が前記記録材を透過したときの第２透過光の光量とから第２透過率を算出するステップと、
照射光の光量と透過光の光量とから算出された透過率と、前記記録材の単位面積あたりの重さを示す坪量との対応関係を表わす複数の判定基準のうち、いずれかの判定基準を用いて、前記坪量を導出するステップとを実行させ、
前記坪量を導出するステップは、
他の波長よりも前記透過率と前記坪量との相関が高い前記第１の波長における第１判定基準を用いて、前記第１透過率に対応する第１坪量を導出することを含み、
前記他の波長よりも前記透過率と前記坪量との相関が高い前記第２の波長における第２判定基準を用いて、前記第２透過率に対応する第２坪量を導出することを含み、
前記第１坪量と前記第２坪量とを平均した第１平均坪量を導出することを含む、坪量導出プログラム。
【請求項１３】
前記第１の波長は、７５０ｎｍから９００ｎｍまでの間の波長を含み、
前記第２の波長は、４００ｎｍから４７０ｎｍまでの間の波長を含む、請求項１２に記載の坪量導出プログラム。
【請求項１４】
前記第１透過率を算出するステップは、前記第１透過光の光量が検出される直前に検出された前記第１照射光の光量と、前記第１透過光の光量とから前記第１透過率を算出することを含み、
前記第２透過率を算出するステップは、前記第２透過光の光量が検出される直前に検出された前記第２照射光の光量と、前記第２透過光の光量とから前記第２透過率を算出することを含む、請求項１２または１３に記載の坪量導出プログラム。
【請求項１５】
前記第１透過率を算出するステップは、前記記録材における異なる箇所それぞれの前記第１透過率を算出することを含み、
前記第２透過率を算出するステップは、前記記録材における異なる箇所それぞれの前記第２透過率を算出することを含み、
前記坪量を導出するステップは、
前記第１判定基準を用いて、前記それぞれの第１透過率を平均した平均第１透過率に対応する前記第１坪量を導出することを含み、
前記第２判定基準を用いて、前記それぞれの第２透過率を平均した平均第２透過率に対応する前記第２坪量を導出することを含む、請求項１２〜１４のいずれか１項に記載の坪量導出プログラム。
【請求項１６】
可視光線の波長よりも短い第３の波長を有する第３照射光が、前記画像形成装置内において記録材を搬送するための搬送経路に向けて照射されたときの前記第３照射光の光量と、前記第３照射光が前記記録材を透過したときの第３透過光の光量とから第３透過率を算出するステップをさらに備え、
前記坪量を導出するステップは、
他の波長よりも前記透過率と前記坪量との相関が高い前記第３の波長における第３判定基準を用いて、前記第３透過率に対応する第３坪量を導出することを含み、
前記第１坪量と前記第２坪量と前記第３坪量とを平均した第２平均坪量を導出することを含む、請求項１２〜１５のいずれか１項に記載の坪量導出プログラム。
【発明の詳細な説明】
【技術分野】
【０００１】
本開示は、画像形成装置に関し、より特定的には画像形成装置における記録材の坪量の導出に関する。
【背景技術】
【０００２】
画像形成装置は、普通紙等を含む各種の記録材を用いて印刷を行う。画像形成装置は、操作パネル等を用いたユーザー操作により、記録材の種類を含む印刷条件の設定を受け付ける。記録材にトナー像を定着させる定着部の最適な温度は、記録材の種類によって異なる。印刷条件として設定された記録材の種類と、印刷に用いられる記録材の種類とが異なると、定着部の温度は、記録材の種類に応じた最適な温度にならない。定着部の温度が最適な温度とならない場合、画像形成装置は、トナー像を記録材に十分に定着させることができず、記録材における画質の低下等が発生する可能性があった。
【０００３】
これに対して、例えば、特開２０１４−２５８６４号公報（特許文献１）は、「記録媒体判別装置は発光受光部１０及び記録媒体判別部２０よりなる。発光受光部１０は、記録媒体Ｍを内部に通過させるための筐体１１、筐体１１の内部に設けられた発光部１２、及び正反射光センサー１３、散乱反射光センサー１４、正透過光センサー１５及び散乱透過光センサー１６の受光部よりなる。発光部１２は２つの異なる波長の入射光Ｌ１、Ｌ２を記録媒体Ｍの表面に所定の入射角θで入射させ、正反射光センサー１３、散乱反射光センサー１４、正透過光センサー１５、散乱透過光センサー１６で得られた異なる波長における検出値に基づいて、記録媒体Ｍの種類を判別する。」技術を開示している（［要約］参照）。
【０００４】
また、例えば、特開２００５−３１５８５６号公報（特許文献２）は、「発光部（ＬＥＤ１２）によって記録媒体Ｐの表面に紫外光とこれより波長の長い他の光とを照射し、記録媒体Ｐの表面で反射された光を受光部（正反射光センサー１３と、拡散光センサー１４）で受光し、受光部からは受光量に応じた信号が出力される。識別手段（信号処理部３１）は、紫外光を記録媒体に照射した際に受光部から出力される信号と、他の光を前記記録媒体に照射した際に受光部から出力される信号とに応じて記録媒体Ｐの種類を識別する。」技術を開示している（「要約」参照）。
【先行技術文献】
【特許文献】
【０００５】
【特許文献１】特開２０１４−２５８６４号公報
【特許文献２】特開２００５−３１５８５６号公報
【発明の概要】
【発明が解決しようとする課題】
【０００６】
ところで、画像形成装置は、印刷条件の設定に用いられる記録材Ｓの特性を示す値として、坪量（ｇ／ｍ２）を導出する。より具体的には、画像形成装置は、記録材を搬送する搬送経路に向けて照射された照射光が記録材を透過したときの透過光量を、光学センサーを用いて検出する。照射光は波長を有し、搬送経路近傍に設けられた光源から照射される。画像形成装置は、検出された透過光量に基づく透過率から記録材の坪量を導出する。画像形成装置は、導出した坪量に応じて記録材の印刷条件を設定する。坪量は、記録材の単位面積あたりの重さを示す値である。画像形成装置は、例えば、透過率と坪量とを対応付けた判定基準を用いて透過率に対応する坪量を導出する。記録材のそれぞれの種類が同じ場合、判定基準を用いて算出した坪量は同じ値となる。しかしながら、同じ種類（例えば、普通紙）の記録材であっても記録材に含まれる成分が異なる場合は、成分の種類および成分の量の少なくともいずれかによって透過率が異なるときがある。透過率が異なると判定基準により導出される坪量も異なるため、画像形成装置は、記録材の正確な坪量を導出できず、記録材の種類に適した印刷条件を設定できないことがある。したがって、記録材の正確な坪量を導出することが求められている。
【０００７】
本開示は、係る実情に鑑み考え出されたものであり、記録材の正確な坪量を導出することが可能な技術を提供する。
【課題を解決するための手段】
【０００８】
本開示のある局面に従う画像形成装置は、画像形成装置内において記録材を搬送するための搬送経路に向けて、第１の波長を有する第１照射光を照射する第１光源と、搬送経路に向けて、第１の波長とは長さが異なる第２の波長を有する第２照射光を照射する第２光源と、第１照射光の光量および第２照射光の光量と、第１照射光が記録材を透過したときの第１透過光の光量、および、第２照射光が記録材を透過したときの第２透過光の光量とを検出する光学センサーと、照射光の光量と透過光の光量とから算出された透過率と、記録材の単位面積あたりの重さを示す坪量との対応関係を表わす複数の判定基準を格納する記憶装置と、画像形成装置の動作を制御するための制御装置とを備える。第１の波長および第２の波長は、他の波長よりも透過率と坪量との相関が高い波長である。制御装置は、第１照射光の光量と、第１透過光の光量とから第１透過率を算出し、第２照射光の光量と、第２透過光の光量とから第２透過率を算出し、第１の波長における第１判定基準を用いて、第１透過率に対応する第１坪量を導出し、第２の波長における第２判定基準を用いて、第２透過率に対応する第２坪量を導出し、第１坪量と第２坪量とを平均した第１平均坪量を導出する。
【０００９】
ある局面に従うと、第１の波長は、７５０ｎｍから９００ｎｍまでの間の波長を含む。第２の波長は、４００ｎｍから４７０ｎｍまでの間の波長を含む。
【００１０】
ある局面に従うと、光学センサーは、第１透過光の光量を検出する直前に、第１照射光の光量を検出し、第２透過光の光量を検出する直前に、第２照射光の光量を検出する。
【００１１】
ある局面に従うと、制御装置は、記録材における異なる箇所それぞれの第１透過率と、記録材における異なる箇所それぞれの第２透過率とを算出し、第１判定基準を用いて、それぞれの第１透過率を平均した平均第１透過率に対応する第１坪量を導出し、第２判定基準を用いて、それぞれの第２透過率を平均した平均第２透過率に対応する第２坪量を導出する。
【００１２】
ある局面に従うと、画像形成装置は、搬送経路に向けて、可視光線の波長よりも短い第３の波長を有する第３照射光を照射する第３光源をさらに備える。光学センサーは、第３照射光の光量と、第３照射光が記録材を透過したときの第３透過光の光量とを検出する。制御装置は、第３照射光の光量と、第３透過光の光量とから第３透過率を算出し、第３の波長における第３判定基準を用いて、第３透過率に対応する第３坪量を導出し、第１坪量と第２坪量と第３坪量とを平均した第２平均坪量を導出する。
【００１３】
他の局面に従うと、画像形成装置は、画像形成装置内において記録材を搬送するための搬送経路に向けて、第１の波長を有する第１照射光を照射する第１光源と、搬送経路に向けて、第１の波長とは長さが異なる第２の波長を有する第２照射光を照射する第２光源と、第１照射光の光量および第２照射光の光量と、第１照射光が記録材を透過したときの第１透過光の光量、および、第２照射光が記録材を透過したときの第２透過光の光量とを検出する光学センサーと、照射光の光量と透過光の光量とから算出された透過率と、記録材の単位面積あたりの重さを示す坪量との対応関係を表わす複数の判定基準を格納する記憶装置と、画像形成装置の動作を制御するための制御装置とを備える。第１の波長および第２の波長は、他の波長よりも透過率と坪量との相関が高い波長である。制御装置は、第１照射光の光量と、第１透過光の光量とから第１透過率を算出し、第２照射光の光量と、第２透過光の光量とから第２透過率を算出し、第１透過率と第２透過率とを平均した平均透過率を算出し、判定基準を用いて、平均透過率に対応する坪量を導出する。
【００１４】
他の局面に従うと、画像形成装置の坪量導出方法は、第１の波長を有する第１照射光が、画像形成装置内において記録材を搬送するための搬送経路に向けて照射されたときの第１照射光の光量と、第１照射光が記録材を透過したときの第１透過光の光量とから第１透過率を算出するステップと、第１の波長とは長さが異なる第２の波長を有する第２照射光が、搬送経路に向けて照射されたときの第２照射光の光量と、第２照射光が記録材を透過したときの第２透過光の光量とから第２透過率を算出するステップと、照射光の光量と透過光の光量とから算出された透過率と、記録材の単位面積あたりの重さを示す坪量との対応関係を表わす複数の判定基準のうち、いずれかの判定基準を用いて、坪量を導出するステップとを備える。坪量を導出するステップは、他の波長よりも透過率と坪量との相関が高い第１の波長における第１判定基準を用いて、第１透過率に対応する第１坪量を導出することを含み、他の波長よりも透過率と坪量との相関が高い第２の波長における第２判定基準を用いて、第２透過率に対応する第２坪量を導出することを含み、第１坪量と第２坪量とを平均した第１平均坪量を導出することを含む。
【００１５】
ある局面に従うと、第１の波長は、７５０ｎｍから９００ｎｍまでの間の波長を含む。第２の波長は、４００ｎｍから４７０ｎｍまでの間の波長を含む。
【００１６】
ある局面に従うと、第１透過率を算出するステップは、第１透過光の光量が検出される直前に検出された第１照射光の光量と、第１透過光の光量とから第１透過率を算出することを含む。第２透過率を算出するステップは、第２透過光の光量が検出される直前に検出された第２照射光の光量と、第２透過光の光量とから第２透過率を算出することを含む。
【００１７】
ある局面に従うと、第１透過率を算出するステップは、記録材における異なる箇所それぞれの第１透過率を算出することを含む。第２透過率を算出するステップは、記録材における異なる箇所それぞれの第２透過率を算出することを含む。坪量を導出するステップは、第１判定基準を用いて、それぞれの第１透過率を平均した平均第１透過率に対応する第１坪量を導出することを含み、第２判定基準を用いて、それぞれの第２透過率を平均した平均第２透過率に対応する第２坪量を導出することを含む。
【００１８】
ある局面に従うと、画像形成装置の坪量導出方法は、可視光線の波長よりも短い第３の波長を有する第３照射光が、画像形成装置内において記録材を搬送するための搬送経路に向けて照射されたときの第３照射光の光量と、第３照射光が記録材を透過したときの第３透過光の光量とから第３透過率を算出するステップをさらに備える。坪量を導出するステップは、他の波長よりも透過率と坪量との相関が高い第３の波長における第３判定基準を用いて、第３透過率に対応する第３坪量を導出することを含み、第１坪量と第２坪量と第３坪量とを平均した第２平均坪量を導出することを含む。
【００１９】
他の局面に従うと、画像形成装置の坪量導出プログラムは、画像形成装置の動作を制御するための制御装置に、第１の波長を有する第１照射光が、画像形成装置内において記録材を搬送するための搬送経路に向けて照射されたときの第１照射光の光量と、第１照射光が記録材を透過したときの第１透過光の光量とから第１透過率を算出するステップと、第１の波長とは長さが異なる第２の波長を有する第２照射光が、搬送経路に向けて照射されたときの第２照射光の光量と、第２照射光が記録材を透過したときの第２透過光の光量とから第２透過率を算出するステップと、照射光の光量と透過光の光量とから算出された透過率と、記録材の単位面積あたりの重さを示す坪量との対応関係を表わす複数の判定基準のうち、いずれかの判定基準を用いて、坪量を導出するステップとを実行させる。坪量を導出するステップは、他の波長よりも透過率と坪量との相関が高い第１の波長における第１判定基準を用いて、第１透過率に対応する第１坪量を導出することを含み、他の波長よりも透過率と坪量との相関が高い第２の波長における第２判定基準を用いて、第２透過率に対応する第２坪量を導出することを含み、第１坪量と第２坪量とを平均した第１平均坪量を導出することを含む。
【００２０】
ある局面に従うと、第１の波長は、７５０ｎｍから９００ｎｍまでの間の波長を含む。第２の波長は、４００ｎｍから４７０ｎｍまでの間の波長を含む。
【００２１】
ある局面に従うと、第１透過率を算出するステップは、第１透過光の光量が検出される直前に検出された第１照射光の光量と、第１透過光の光量とから第１透過率を算出することを含む。第２透過率を算出するステップは、第２透過光の光量が検出される直前に検出された第２照射光の光量と、第２透過光の光量とから第２透過率を算出することを含む。
【００２２】
ある局面に従うと、第１透過率を算出するステップは、記録材における異なる箇所それぞれの第１透過率を算出することを含む。第２透過率を算出するステップは、記録材における異なる箇所それぞれの第２透過率を算出することを含む。坪量を導出するステップは、第１判定基準を用いて、それぞれの第１透過率を平均した平均第１透過率に対応する第１坪量を導出することを含み、第２判定基準を用いて、それぞれの第２透過率を平均した平均第２透過率に対応する第２坪量を導出することを含む。
【００２３】
ある局面に従うと、画像形成装置の坪量導出プログラムは、画像可視光線の波長よりも短い第３の波長を有する第３照射光が、画像形成装置内において記録材を搬送するための搬送経路に向けて照射されたときの第３照射光の光量と、第３照射光が記録材を透過したときの第３透過光の光量とから第３透過率を算出するステップをさらに備える。坪量を導出するステップは、他の波長よりも透過率と坪量との相関が高い第３の波長における第３判定基準を用いて、第３透過率に対応する第３坪量を導出することを含み、第１坪量と第２坪量と第３坪量とを平均した第２平均坪量を導出することを含む。
【発明の効果】
【００２４】
本開示によれば、ある局面において、記録材の正確な坪量を導出することができる。
開示された技術的思想の上記および他の目的、特徴、局面および離連は、添付の図面と関連して理解されるこの発明に関する次の詳細な説明から明らかとなるであろう。
【図面の簡単な説明】
【００２５】
【図１】画像形成装置１００の内部構造の一例を示す図である。
【図２】画像形成装置１００のハードウェア構成を示すブロック図である。
【図３】光量検出部９０による照射光量の検出について説明する図である。
【図４】光量検出部９０による透過光量の検出について説明する図である。
【図５】制御装置１０１が実行する記録材Ｓの種類の判定を含む機能について説明する図である。
【図６】第１透過率と公称坪量との関係を表わす判定基準を表わす図である。
【図７】第２透過率と公称坪量との関係を表わす判定基準を表わす図である。
【図８】波長における透過率と公称坪量との相関関係を示す図である。
【図９】透過率と坪量差との対応関係を表わす指標と坪量閾値１２６とを示す図である。
【図１０】公称坪量との差が小さい坪量の導出について説明する図である。
【図１１】制御装置１０１が、光源９１から照射された照射光の光量を取得する処理を表わすフローチャートである。
【図１２】制御装置１０１が、記録材Ｓを透過した透過光の光量を取得する処理を表わすフローチャートである。
【図１３】第１の実施の形態における制御装置１０１が記録材Ｓの種類を判定する処理を表わすフローチャートである。
【図１４】第１の実施の形態における制御装置１０１が記録材Ｓの坪量を導出する処理を表わすフローチャートである。
【発明を実施するための形態】
【００２６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２７】
＜第１の実施の形態＞
［画像形成装置１００の内部構造］
図１は、画像形成装置１００の内部構造の一例を示す図である。画像形成装置１００は、カラープリンタ、モノクロプリンタ、またはファクシミリであってもよいし、モノクロプリンタ、カラープリンタおよびファクシミリの複合機（いわゆるＭＦＰ（Multi  Functional  Peripheral））であってもよい。
【００２８】
画像形成装置１００は、画像読取部としてのスキャナー２０と、画像印刷部としてのプリンター２５とを備える。スキャナー２０は、カバー２１と、原稿台２２と、用紙トレイ２３と、ＡＤＦ（Auto  Document  Feeder）２４とを含む。カバー２１の一端は、原稿台２２に固定されている。カバー２１は、当該一端を支点として開閉可能に構成されている。
【００２９】
プリンター２５は、記録材Ｓを収納する収納部６０Ａ〜６０Ｄと、記録材Ｓを給紙する複数の給紙ローラー６１と、記録材Ｓを搬送する複数の搬送ローラー６２と、複数のセンサー６３と、タイミングセンサー８７と、タイミングローラー８８と、切替爪８９と、反転ローラー６５とを含む。
【００３０】
プリンター２５は、記録材Ｓの透過光量を検出する光量検出部９０と、画像形成装置１００の動作を制御するための制御装置１０１と、トナー像を形成して記録材Ｓに転写するための画像形成部７０と、転写されたトナー像を記録材Ｓに定着させるための定着部５０とを含む。
【００３１】
収納部６０Ａ〜６０Ｄは、記録材Ｓがセットされるカセットである。以下、収納部６０Ａ〜６０Ｄを総称するときは収納部６０という。収納部６０は、画像形成装置１００から脱着可能に構成されている。ユーザーは、画像形成装置１００から収納部６０を外すことで収納部６０に記録材Ｓをセットできる。収納される記録材Ｓの種類は、例えば、普通紙、コート紙等である。普通紙は、例えば、パルプを原料として生成された紙であるが、これに限定されない。普通紙の表面は加工されていない。これに対して、コート紙は、例えば、表面にコート材が塗布された紙であるが、これに限定されない。コート紙は、カタログ等に使用される。なお、セットされる記録材Ｓは、上記の種類に限らず他の種類であってもよい。
【００３２】
給紙ローラー６１は、給紙クラッチ（図示せず）を介してモーター（図示せず）に接続されている。当該モーターは、制御装置１０１によって制御される。制御装置１０１は、ユーザーから印刷指示を受け付けたことに基づいて、モーターを駆動する。モーターは、給紙クラッチを介して給紙ローラー６１を回転させる。記録材Ｓは、給紙ローラー６１が回転することで、収納部６０から搬送経路４１に１枚ずつ送り出される。
【００３３】
複数の搬送ローラー６２は、搬送経路４１に設けられている。搬送ローラー６２は、モーター（図示せず）に接続されている。制御装置１０１がモーターを駆動させることで搬送ローラー６２が回転する。記録材Ｓは、搬送ローラー６２が回転することで、タイミングセンサー８７の近傍にある搬送経路４１を通過後、光量検出部９０に搬送される。記録材Ｓは、光量検出部９０に搬送された後、搬送経路４１を通ってタイミングローラー８８に搬送される。
【００３４】
手差しトレイ６４は、手差し用の記録材Ｓがセットされるトレイである。ユーザーは、長方形等の定型の記録材Ｓの他に、長方形以外の非定型の記録材Ｓを手差しトレイ６４にセットすることができる。
【００３５】
制御装置１０１は、タイミングセンサー８７が記録材Ｓを検出すると、トナー像が、記録材Ｓの予め定められた位置に転写されるように、タイミングローラー８８の回転速度を調整する。トナー像は、画像形成部７０により形成される。より具体的には、制御装置１０１は、記録材Ｓがタイミングローラー８８から画像形成部７０に搬送されるタイミングを調整する。制御装置１０１がタイミングを調整することで、トナー像は記録材Ｓの適切な位置に転写される。
【００３６】
トナー像が転写された記録材Ｓは、定着部５０に搬送される。定着部５０は、加圧ローラー５１と、無端状の定着ベルト５２と、加熱ローラー５３と、ヒーター５４とを含む。加圧ローラー５１は、当該加圧ローラー５１と定着ベルト５２との間を通過する記録材Ｓを加圧する。定着ベルト５２は、加熱ローラー５３に張架され、加熱ローラー５３の熱により、トナー像を記録材Ｓに定着させる。
【００３７】
加熱ローラー５３は、ヒーター５４を含む。制御装置１０１は、ヒーター５４の温度を記録材Ｓの種類に応じた温度に設定する。制御装置１０１は、例えば、記録材Ｓの種類がコート材の場合は、記録材Ｓの種類が普通紙の場合よりも、ヒーター５４の温度を上げる。画像形成装置１００は、記録材Ｓの種類が異なる場合であっても確実にトナー像を定着させられる。
【００３８】
制御装置１０１は、記録材Ｓの種類に応じて、加熱ローラー５３の回転速度を設定してもよい。制御装置１０１は、例えば、記録材Ｓの種類がコート紙の場合に、記録材Ｓの種類が普通紙の場合よりも、加熱ローラー５３の回転速度を低下させる。記録材Ｓが定着部５０を通過するまでの時間が長くなることで、画像形成装置１００は、トナー像を定着させる記録材Ｓの表面にコート材が塗布されている場合でも、トナー像を確実に定着させられる。
【００３９】
制御装置１０１は、片面印刷の指示を受け付けている場合は、トナー像が定着された記録材Ｓをトレイ４８に排出する。制御装置１０１は、両面印刷の指示を受け付けている場合は、切替爪８９を駆動し、トナー像が定着された記録材Ｓを反転ローラー６５に搬送する。記録材Ｓは、反転ローラー６５から搬送ローラー６２に搬送され、再び画像形成部７０を通過する。トナー像が定着された記録材Ｓの面とは反対の面にトナー像が定着され、両面にトナー像が定着された記録材Ｓがトレイ４８に排出される。
【００４０】
光量検出部９０は、記録材Ｓの坪量の導出に用いられる記録材Ｓの透過率を算出する。坪量（ｇ／ｍ２）は、記録材Ｓの単位面積あたりの重さを示す値である。光量検出部９０は、光源９１と光学センサー９２とを含む。光源９１は、波長を有する照射光を照射する。光源９１としては、例えば、ＬＥＤ（Light Emitting Diode）、またはレーザー等を用いることができる。光学センサー９２としては、例えば、フォトダイオード、またはＣＣＤ(Charge Coupled Device）等を用いることができる。光学センサー９２は、光源９１から照射された照射光を受光して照射光量を検出する。また、光学センサー９２は、光源９１から照射された照射光が記録材Ｓを透過したときの透過光量を検出する。
【００４１】
制御装置１０１は、光学センサー９２が検出した照射光量および透過光量から透過率を算出する。より具体的には、制御装置１０１は、透過光量を照射光量で除算して透過率を算出する。
【００４２】
［画像形成装置１００のハードウェア構成］
図２は、画像形成装置１００のハードウェア構成を示すブロック図である。図２を参照して、画像形成装置１００は、制御装置１０１と、ＲＯＭ（Read Only Memory）１０２と、ＲＡＭ（Random Access Memory）１０３と、通信インターフェイス１０４と、操作パネル１３０と、スキャナー２０と、プリンター２５と、記憶装置１２０とを含む。
【００４３】
制御装置１０１は、例えば、少なくとも１つの集積回路によって構成される。集積回路は、例えば、少なくとも１つのＣＰＵ（Central Processing Unit）、少なくとも１つのＡＳＩＣ（Application Specific Integrated Circuit）、少なくとも１つのＦＰＧＡ（Field  Programmable  Gate  Array）、またはそれらの組み合わせ等によって構成される。制御装置１０１は、本実施の形態に従う制御プログラム１２２等の各種プログラムを実行することで画像形成装置１００の動作を制御する。制御装置１０１は、制御プログラム１２２の実行命令を受け付けたことに基づいて、記憶装置１２０からＲＡＭ１０３に制御プログラム１２２を読み出す。ＲＡＭ１０３は、ワーキングメモリとして機能し、制御プログラム１２２の実行に必要な各種データを一時的に格納する。制御装置１０１は、制御プログラム１２２が実行されることで、印刷条件に基づいて、画像読取部として機能するスキャナー２０、および、画像印刷部として機能するプリンター２５を制御し、記録材Ｓへの印刷処理を実行する。
【００４４】
通信インターフェイス１０４には、アンテナ（図示せず）等が接続される。画像形成装置１００は、当該アンテナを介して、外部の通信機器との間でデータをやり取りする。外部の通信機器は、例えば、スマートフォン等の携帯通信端末、サーバー等を含む。画像形成装置１００は、アンテナを介して、制御プログラム１２２をサーバーからダウンロードできるように構成されてもよい。
【００４５】
操作パネル１３０は、例えば、ディスプレイとタッチパネル等の入力インターフェイスとで構成される。ディスプレイおよびタッチパネルは、互いに重ねられている。操作パネル１３０は、ユーザーの操作により記録材Ｓの種類を含む印刷条件の設定を受け付ける。
【００４６】
記憶装置１２０は、例えば、ハードディスク、ＳＳＤ（Solid State Drive）、および、その他の記憶装置のいずれかである。記憶装置１２０は、内蔵式および外付け式のいずれであってもよい。記憶装置１２０は、制御プログラム１２２、複数の判定基準１２４、および、坪量閾値１２６を格納可能である。制御プログラム１２２、複数の判定基準１２４、および、坪量閾値１２６の格納場所は、記憶装置１２０に限定されず、制御装置１０１の記憶領域（例えば、キャッシュ等）、ＲＯＭ１０２、ＲＡＭ１０３、外部機器（例えば、サーバー）等であってもよい。
【００４７】
［光量検出部９０による照射光量および透過光量の検出］
図３および図４を参照して、光量検出部９０による照射光量および透過光量の検出について説明する。図３は、光量検出部９０による照射光量の検出について説明する図である。光量検出部９０は、光源９１と、光学センサー９２と、ガイド４０とを含む。光源９１は、第１光源９１ａおよび第２光源９１ｂを含む。第１光源９１ａは、第１の波長を有する第１照射光９０１ａを照射する。第１の波長は、例えば、可視光線の波長よりも長い近赤外線の波長である。より具体的には、第１の波長は、例えば７５０ｎｍから９００ｎｍまでの間の波長を含む。第２光源９１ｂは、第２の波長を有する第２照射光９０１ｂを照射する。第２の波長は、例えば、可視光線に含まれる青色の光線の波長である。より具体的には、第２の波長は、例えば４００ｎｍから４７０ｎｍまでの間の波長を含む。第１照射光９０１ａおよび第２照射光９０１ｂは、ガイド４０内の搬送経路４１に向けて照射される。
【００４８】
ガイド４０には、内側に記録材Ｓが通る搬送経路４１が形成されている。記録材Ｓは、例えば搬送経路４１内を搬送方向４００の方向に搬送される。ガイド４０は、搬送方向４００の方向において一部が開口している。一部が開口していることで、光源９１の照射光が搬送経路４１に向けて照射されたときに、光学センサー９２は照射光を確実に受光できる。
【００４９】
制御装置１０１は、記録材Ｓが搬送されていないとき（照射光が記録材Ｓを透過しないとき）に、照射の照射を指示する指示信号を光源９１に出力して、照射された光量を光源９１から取得する。より具体的には、制御装置１０１は、光学センサー９２が後述する第１透過光の光量を検出する直前に、光学センサー９２が第１照射光９０１ａの光量を検出するように、第１光源９１ａによる第１照射光９０１ａの照射タイミングを制御する。第１照射光９０１ａを受光した光学センサー９２は、第１照射光９０１ａの光量を制御装置１０１に出力する。
【００５０】
また、制御装置１０１は、光学センサー９２が後述する第２透過光の光量を検出する直前に、光学センサー９２が第２照射光９０１ｂの光量を検出するように、第２光源９１ｂによる第２照射光９０１ｂの照射タイミングを制御する。第２照射光９０１ｂを受光した光学センサー９２は、第２照射光９０１ｂの光量を制御装置１０１に出力する。画像形成装置１００は、透過光の光量が検出される直前に照射光の光量を取得することで、光源９１が照射する照射光の光量に経時変化が生じていても、記録材Ｓの坪量を導出するときに用いられる正確な照射光の光量を検出できる。
【００５１】
第１光源９１ａが第１照射光９０１ａを照射するタイミングと、第２光源９１ｂが第２照射光９０１ｂを照射するタイミングとは異なる。例えば、第１光源９１ａが最初に第１照射光９０１ａを照射し、所定時間（例えば、１０ｍｓｅｃ）後に、第２光源９１ｂが第２照射光９０１ｂを照射する。
【００５２】
第１光源９１ａは、１枚の記録材Ｓに対して、第１照射光９０１ａを複数回（例えば、５回）照射してもよい。第２光源９１ｂは、１枚の記録材Ｓに対して第２照射光９０１ｂを複数回（例えば、５回）照射してもよい。第１照射光９０１ａと第２照射光９０１ｂとが照射される毎に記録材Ｓは搬送経路４１内を予め定めた速度で搬送される。制御装置１０１は、１枚の記録材Ｓにおける異なる箇所それぞれの第１透過光の光量を取得する。また、制御装置１０１は、１枚の記録材Ｓにおける異なる箇所それぞれの第２透過光の光量を取得する。制御装置１０１は、異なる箇所それぞれの第１透過率と、異なる箇所それぞれの第２透過率とを算出する。そして、制御装置１０１は、それぞれの第１透過率を相加平均した平均第１透過率と、それぞれの第２透過率を相加平均した平均第２透過率とを算出する。画像形成装置１００は、１枚の記録材Ｓにおいて異なる箇所それぞれの透過率に差がある場合でも、その差を小さくした透過率を算出できる。
【００５３】
図４は、光量検出部９０による透過光量の検出について説明する図である。図４では、記録材Ｓが搬送されているときに、制御装置１０１は、第１照射光９０１ａが搬送経路４１に向けて照射されるように、第１光源９１ａによる第１照射光９０１ａの照射タイミングを制御する。光学センサー９２は、第１照射光９０１ａが記録材Ｓを透過した第１透過光を受光して、第１透過光の光量を検出する。光学センサー９２は、第１透過光の光量を制御装置１０１に出力する。
【００５４】
次に、記録材Ｓが搬送されているときに、制御装置１０１は、第２照射光９０１ｂが搬送経路４１に向けて照射されるように、第２光源９１ｂによる第２照射光９０１ｂの照射タイミングを制御する。光学センサー９２は、第２照射光９０１ｂが記録材Ｓを透過した第２透過光を受光して、第２透過光の光量を検出する。光学センサー９２は、第２透過光の光量を制御装置１０１に出力する。
【００５５】
制御装置１０１は、取得した第１照射光９０１ａの光量および第１透過光の光量から第１透過率を算出する。より具体的には、制御装置１０１は、第１透過光の光量を第１照射光９０１ａの光量で除算して第１透過率を算出する。制御装置１０１は、取得した第２照射光９０１ｂの光量および第２透過光の光量から第２透過率を算出する。より具体的には、制御装置１０１は、第２透過光の光量を第２照射光９０１ｂの光量で除算して第２透過率を算出する。制御装置１０１は、算出した第１透過率と第２透過率とに基づいて、記録材Ｓの種類を判定する。記録材Ｓの種類の判定については後述する。
【００５６】
［制御装置１０１が実行する機能］
図５は、制御装置１０１が実行する記録材Ｓの種類の判定を含む機能について説明する図である。図５を参照して、光源９１を制御する機能を最初に説明し、それ以降に実行される機能について順に説明する。制御装置１０１は、光源９１が照射光を照射するタイミングを制御する照射制御部１１０として機能する。照射制御部１１０は、第１光源９１ａおよび第２光源９１ｂに対して、照射光の照射を指示する指示信号を出力する。第１光源９１ａおよび第２光源９１ｂは、それぞれ異なるタイミングで、第１照射光９０１ａと第２照射光９０１ｂとを照射する。
【００５７】
光学センサー９２は、第１照射光９０１ａと第２照射光９０１ｂとを受光して、それぞれの照射光の光量を検出し、検出した第１照射光９０１ａの光量と第２照射光９０１ｂの光量とを制御装置１０１に出力する。記録材Ｓが搬送されたときに、光学センサー９２は、第１照射光９０１ａが記録材Ｓを透過した第１透過光と、第２照射光９０１ｂが記録材Ｓを透過した第２透過光とを受光して、検出した第１透過光の光量と第２透過光の光量とを制御装置１０１に出力する。
【００５８】
制御装置１０１は、透過率算出部１１２として、照射光の光量および透過光の光量に基づいて透過率を算出する。透過率算出部１１２は、第１透過光の光量を第１照射光９０１ａの光量で除算して、第１透過率を算出する。透過率算出部１１２は、第２透過光の光量を第２照射光９０１ｂの光量で除算して、第２透過率を算出する。
【００５９】
制御装置１０１は、種類判定部１１４として、算出された第１透過率および第２透過率により、記録材Ｓの種類を判定する。より具体的には、種類判定部１１４は、第１透過率および第２透過率と、記憶装置１２０に格納された複数の判定基準１２４のうち予め定められた判定基準と、坪量閾値１２６とを用いて記録材Ｓの種類を判定する。記録材Ｓの種類を判定する処理の詳細は後述する。
【００６０】
制御装置１０１は、坪量導出部１１６として、判定された記録材Ｓの種類に基づく判定基準に応じた坪量を導出する。坪量を導出する処理の詳細は後述する。
【００６１】
制御装置１０１は、温度制御部１１８として、坪量に基づき定着部５０の温度を制御する。温度制御部１１８は、記録材Ｓの坪量に基づいて定着部５０に温度を出力する。温度制御部１１８は、例えば、坪量が基準の坪量と比べて大きい場合に、現在設定されている温度よりも高い温度を出力する。これにより、ヒーター５４の温度が上昇し、定着ベルト５２の温度も上昇して、トナー像が記録材Ｓに一層定着しやすくなる。なお、制御装置１０１は、記録材Ｓの坪量に基づいて、定着部５０において記録材Ｓが搬送される搬送速度を変更してもよい。
【００６２】
［判定基準］
図６〜図８を参照して判定基準について説明する。図６は、第１透過率と公称坪量との関係を表わす判定基準を表わす図である。より具体的には、図６には、第１の波長を有する第１照射光９０１ａ（近赤外線）を普通紙およびコート紙に照射したとき得られたそれぞれの透過率と、公称坪量との関係が示されている。透過率は、実験により得られた値である。公称坪量は、記録材Ｓを製造するメーカー等が公表した、記録材Ｓの坪量である。
【００６３】
図６では、普通紙の透過率と公称坪量との関係を示す指標をひし形、コート紙の透過率と公称坪量との関係を示す指標を四角形で示す。例えば、指標６０１は、ある普通紙において、実験により算出された透過率が約２５％であり、実験に使用された普通紙の公称坪量は約１００ｇ／ｍ２であることを示す。別の例として、指標６０２は、あるコート紙において、実験により算出された透過率が約３０％であり、実験に使用されたコート紙の公称坪量は約１００ｇ／ｍ２であることを示す。
【００６４】
実験では、普通紙における複数の指標と、コート紙における複数の指標とが算出される。これらの指標に基づいて、例えば最小二乗法を用いた近似線が、実験に使用されるＰＣ（Personal Computer）に設けられた制御部（図示せず）によって導出される。より具体的には、普通紙における判定基準６１１（一点鎖線）と、コート紙における判定基準６１２（実線）とが導出される。判定基準６１１および６１２を含む複数の判定基準１２４は、記憶装置１２０に格納される。
【００６５】
図７は、第２透過率と公称坪量との関係を表わす判定基準を表わす図である。より具体的には、図７には、第２の波長を有する第２照射光９０１ｂ（可視光線に含まれる青色の光線）を普通紙およびコート紙に照射したとき得られたそれぞれの透過率と、公称坪量との関係が示されている。図７では、普通紙の透過率と公称坪量との関係を示す指標をひし形、コート紙の透過率と公称坪量との関係を示す指標を四角形で示す。
【００６６】
実験では、普通紙における複数の指標と、コート紙における複数の指標とが算出される。これらの指標に基づいて、例えば最小二乗法を用いた近似線が実験に使用されるＰＣに設けられた制御部によって導出される。より具体的には、普通紙における判定基準７１１（一点鎖線）と、コート紙における判定基準７１２（実線）とが導出される。記憶装置１２０は、判定基準７１１および７１２を含む複数の判定基準１２４を格納可能である。
【００６７】
記憶装置１２０は、近似線の判定基準をテーブルとして格納してもよいし、当該近似線に対応する数式を格納してもよい。例えば、判定基準６１１および６１２において、坪量をｙ１としたときの数式は以下の式（１）となる。
【００６８】
ｙ１＝ｅｘｐ（ｂ１×Ｌｏｇ（ｘ１）＋ｂ２）・・・（１）
ｘ１は第１透過率を表し、ｂ１およびｂ２は定数を表す。式（１）で用いられる第１透過率は、当該透過率を１００で除算した値（例えば、透過率２５％の場合、２５÷１００＝０.２５）である。制御装置１０１は、記憶装置１２０に格納された式（１）を読み出し、式（１）に透過率を代入することで坪量を導出する。なお、ｂ１およびｂ２の少なくともいずれかの定数を変更することで、判定基準６１１および判定基準６１２のいずれか対応した数式が生成される。
【００６９】
例えば、判定基準７１１および７１２において、坪量をｙ２としたときの数式は以下の式（２）となる。
【００７０】
ｙ２＝ｅｘｐ（ａ１×Ｌｏｇ（ｘ２）２＋ａ２×Ｌｏｇ（ｘ２）＋ａ３）・・・（２）
ｘ２は、第２透過率を表し、ａ１、ａ２、および、ａ３は定数を表す。式（２）で用いられる第２透過率は、当該透過率を１００で除算した値（例えば、透過率３０％の場合、３０÷１００＝０.３）である。制御装置１０１は、記憶装置１２０に格納された式（２）を読み出し、式（２）に透過率を代入することで坪量を導出する。なお、ａ１、ａ２、およびａ３の少なくともいずれかの定数を変更することで、判定基準７１１および判定基準７１２のいずれかに対応した数式が生成される。
【００７１】
透過率を算出する場合に、第１の波長と第２の波長とを用いるのは、これらの波長が他の波長と比べて、判定基準における近似線を構成する指標のばらつきが小さいためである。より具体的には、第１の波長および第２の波長における透過率と公称坪量との関係を示す指標は、他の波長における透過率と公称坪量との関係を示す指標よりも近似線上にまたは近似線から近い位置に多く存在する。第１の波長および第２の波長は、透過率と坪量との相関が他の波長よりも高い波長である。したがって、第１の波長を有する第１照射光９０１ａと第２の波長を有する第２照射光９０１ｂとが、坪量を導出するための透過率の算出に用いられる。
【００７２】
図８は、波長における透過率と公称坪量との相関関係を示す図である。図８を参照して、波長（ｎｍ）が比較的長い近赤外線の波長（７５０ｎｍ〜９００ｎｍ）に相当する第１の波長と、可視光線のうち青色の光線の波長（４００ｎｍ〜４７０ｎｍ）に相当する第２の波長とは、他の波長（例えば、５００ｎｍ〜７００ｎｍ）に比べて、決定係数が「１」に近い値を示す。ある波長における決定係数が「１」に近い値となる場合、当該波長を有する照射光は、透過率と公称坪量との相関が高い。透過率と公称坪量との相関が高い場合は相関が低い場合よりも、近似線に対する、複数の指標のばらつきが小さくなる。図８を参照すると、第１の波長と第２の波長とにおける決定係数が「１」に近い値となるため、これらの波長を有する照射光は、透過率と公称坪量との相関が高くなる。なお、図８の波長における透過率と坪量との相関を示す値は、図６および図７において説明した実験によって得られたものである。また、図８では普通紙における相関を示すものであるが、他の種類（例えば、コート紙等）の記録材Ｓも同様の相関を有する。
【００７３】
波長によって相関関係が異なる理由は、記録材Ｓの種類が同じであっても記録材Ｓを構成する成分が異なるためである。記録材Ｓの種類が同じの場合は、公称坪量はほぼ同じ坪量となるが、成分が異なると、記録材Ｓに照射光が照射されたときに検出される透過率が異なることがある。記録材Ｓには、例えば、炭酸カルシウム、カオリン、タルク、および、サチンホワイト等のうちの少なくともいずれかの成分が含まれる。これらの成分が記録材Ｓに含まれる場合に、第１の波長を有する第１照射光９０１ａに基づく指標と、第２の波長を有する第２照射光９０１ｂに基づく指標とは、近似線に対するばらつきが小さく、他の波長の照射光に基づく指標は、近似線に対するばらつきが大きくなる。
【００７４】
画像形成装置１００は、他の波長と比べて透過率と公称坪量との相関が高い波長を有する照射光を用いて透過率を算出し、当該透過率に対応する坪量を導出することで、正確な坪量を導出できる。なお、相関が高い波長を有する照射光により、坪量を導出した場合であっても、記録材Ｓの成分によっては導出された坪量と公称坪量との差が極端に大きくなることがある。そのため、相関が高い波長を有する複数の照射光（例えば、第１の波長を有する第１照射光９０１ａと、第２の波長を有する第２照射光９０１ｂ）を用いて、それぞれの坪量に基づいて、公称坪量との差が小さい坪量を導出する。公称坪量との差が小さい坪量を導出する処理の詳細は後述する。
【００７５】
［坪量閾値１２６を用いた記録材Ｓの種類の判定］
図９を参照して、記録材Ｓの種類を判定する基準となる坪量閾値１２６について説明する。図９は、透過率と坪量差との対応関係を表わす指標と坪量閾値１２６とを示す図である。より具体的には、指標は、普通紙における透過率と坪量差との対応関係と、コート紙における透過率と坪量差との対応関係とを表わす。透過率および坪量差は、実験により得られた値である。透過率は、例えば第１の波長の第１照射光９０１ａ（近赤外線）を用いて算出された第１透過率である。坪量差は、第１坪量と第２坪量との差である。第１坪量は、図６で示した、第１の波長における普通紙の判定基準６１１を用いて導出された透過率に対応する坪量である。第２坪量は、図７で示した、第２の波長における普通紙の判定基準７１１を用いて導出された透過率に対応する坪量である。
【００７６】
図９では、普通紙の透過率と坪量差との関係を示す指標をひし形で表わす。普通紙の指標は、透過率に対応する坪量差が約−１０ｇ／ｍ２以上の位置にプロットされている。コート紙の透過率と坪量差との関係を示す指標を四角形で表わす。コート紙の指標は、透過率に対応する坪量差が約−１５ｇ／ｍ２以下の位置にプロットされている。普通紙およびコート紙における坪量差より、普通紙とコート紙との種類を判定する閾値が設定される。例えば、坪量差を−１２ｇ／ｍ２とする坪量閾値１２６が設定され、記憶装置１２０に格納される。
【００７７】
コート紙の指標が普通紙の指標と比べて坪量差が大きい理由は、第１透過率に対応する坪量と第２透過率に対応する坪量とを、予め定められた判定基準（例えば、普通紙の判定基準）を用いて導出するためである。
【００７８】
より具体的には、コート紙の指標が普通紙の指標と比べて坪量差が大きいのは以下の理由による。最初に、記録材Ｓが普通紙の場合に、普通紙の判定基準である判定基準６１１および判定基準７１１のいずれを用いた場合でもほぼ同じ坪量が導出されると仮定する。また、記録材Ｓがコート紙の場合に、コート紙の判定基準である判定基準６１２および判定基準７１２のいずれを用いた場合でもほぼ同じ坪量が導出されると仮定する。
【００７９】
次に、普通紙の判定基準７１１を用いて、記録材Ｓの透過率に対応する坪量を導出した場合は、コート紙の判定基準７１２を用いて、同じ透過率に対応する坪量を導出した場合と比べて坪量の差は比較的小さくなる。坪量の差が比較的小さい例としては、図７に示すある透過率における判定基準７１１の公称坪量と、同じ透過率における判定基準７１２の公称坪量との差である。坪量の差が比較的小さいため、記録材Ｓの種類がコート紙であっても普通紙であっても、ある透過率に対応する坪量の差は小さい。これに対して、普通紙の判定基準６１１を用いて、記録材Ｓの透過率に対応する坪量を導出した場合は、コート紙の判定基準６１２を用いて、同じ透過率に対応する坪量を導出した場合と比べて、普通紙とコート紙との坪量の差は比較的大きくなる。坪量の差が比較的大きい例としては、図６に示すある透過率における判定基準６１１の公称坪量と、同じ透過率における判定基準６１２の公称坪量との差である。同じ透過率に対応するコート紙の坪量は、普通紙の坪量よりも大きくなる。コート紙の透過率は、波長が長くなると普通紙の透過率よりも大きくなる傾向があるためである。
【００８０】
そして、上記の仮定によると、普通紙の判定基準６１１と判定基準７１１とを用いて坪量を導出すると、記録材Ｓが普通紙の場合は、それぞれの判定基準により導出される坪量はほぼ同じ値になる。これに対して、記録材Ｓがコート紙の場合は、普通紙の判定基準６１１で導出した坪量は、記録材Ｓの実際の坪量（コート紙の判定基準６１２を用いて導出した坪量）よりも小さくなる。普通紙の判定基準７１１で導出した坪量は、実際の坪量（コート紙の判定基準７１２を用いて導出した坪量）とほぼ同じ値となる。したがって、記録材Ｓがコート紙の場合に、判定基準６１１により導出された坪量から、判定基準７１１により導出された坪量を差し引いた値は、記録材が普通紙の場合に、判定基準６１１により導出された坪量坪量から、判定基準７１１により導出された第２坪量を差し引いた値よりも小さくなる。
【００８１】
種類判定部１１４は、第１透過率および第２透過率と、普通紙の判定基準６１１および７１１とにより、第１坪量および第２坪量を導出して、第１坪量から第２坪量を差し引いた値が、坪量閾値１２６の値以上の場合は、記録材Ｓの種類を普通紙であると判定する。また、制御装置１０１は、第１坪量から第２坪量を差し引いた値が坪量閾値１２６の値未満の場合は、記録材Ｓの種類をコート紙であると判定する。画像形成装置１００は、坪量の差に基づいて記録材Ｓの種類を正確に判定できる。
【００８２】
［記録材Ｓの坪量の導出］
図５を再び参照して、制御装置１０１の坪量導出部１１６は、記憶装置１２０に格納された複数の判定基準１２４のうち、記録材Ｓの種類に基づく判定基準を読み出す。より具体的には、坪量導出部１１６は、例えば、記録材Ｓの種類が普通紙と判定された場合は、普通紙の判定基準である判定基準６１１と判定基準７１１とを読み出す。坪量導出部１１６は、判定基準６１１に応じた、第１透過率に対応する第１坪量を導出する。坪量導出部１１６は、判定基準７１１に応じた、第２透過率に対応する第２坪量を導出する。坪量導出部１１６は、第１坪量と第２坪量とを相加平均した平均坪量を導出する。なお、第１透過率と第２透過率は、上述したように異なる箇所それぞれの第１透過率を平均した平均第１透過率と、異なる箇所それぞれの第２透過率を平均した平均第２透過率であってもよい。
【００８３】
図１０は、公称坪量との差が小さい坪量の導出について説明する図である。制御装置１０１は、透過率と坪量との相関が高い波長を有する複数の照射光を用いて、公称坪量との差が小さい坪量を導出する。より具体的には、制御装置１０１は、第１の波長を有する第１照射光９０１ａ（近赤外線）を用いて第１透過率を算出し、第２の波長を有する第２照射光９０１ｂ（青色の光線）を用いた第２透過率を算出する。制御装置１０１は、第１透過率に対応する第１坪量と、第２透過率に対応する第２坪量とを導出し、第１坪量と第２坪量とを相加平均した平均坪量を導出する。第１坪量および第２坪量のいずれかと、公称坪量との差の値が一定値以上となる場合であっても、第１坪量と第２坪量とを平均することで、平均により算出された坪量と公称坪量との差の値を小さくできる。
【００８４】
図１０を参照して、横軸には記録材Ｓの普通紙の銘柄Ａ〜銘柄Ｄが示されている。銘柄は、例えば普通紙の商品名であり、銘柄毎に含まれる成分が異なることがある。銘柄Ａの左から第１坪量差、第２坪量差、および、平均坪量差が示されている。第１坪量差は、第１坪量と公称坪量との差である。第２坪量差は、第２坪量と公称坪量との差である。平均坪量差は、第１坪量差と第２坪量差とを相加平均した値である。
【００８５】
より具体的には、銘柄Ａは、第１坪量差および第２坪量差がそれぞれ約１０ｇ／ｍ２であり、平均坪量差もそれぞれの坪量差とほぼ同じ値の約１０ｇ／ｍ２となる。銘柄Ａにおける第１坪量と公称坪量との差と、第２坪量と公称坪量との差はほぼ同じ値となり、坪量と公称坪量との差は小さい。銘柄Ｂは、第１坪量差および第２坪量差がそれぞれ約−３ｇ／ｍ２であり、平均坪量差もそれぞれの坪量差とほぼ同じ値の約−３ｇ／ｍ２となる。銘柄Ｂにおける第１坪量と公称坪量との差と、第２坪量と公称坪量との差はほぼ同じ値となり、坪量と公称坪量との差は小さい。これに対して、銘柄Ｃは、第１坪量差が約１０ｇ／ｍ２となり、第２坪量差が約−８ｇ／ｍ２となり、平均坪量差は約１ｇ／ｍ２となる。また、銘柄Ｄは、第１坪量差が約５ｇ／ｍ２となり、第２坪量差が約−１５ｇ／ｍ２となり、平均坪量差は約−５ｇ／ｍ２となる。いずれか一方の坪量のみを記録材Ｓの坪量とした場合、導出した坪量と公称坪量との差が大きいときは、制御装置１０１は、記録材Ｓの正確な坪量を導出できない。２つの坪量を平均した坪量を導出することで、公称坪量との差が大きい坪量を用いる場合と比べて、公称坪量との差を小さくできる。このようにして、画像形成装置１００は、記録材Ｓの正確な坪量を導出することができる。
【００８６】
［照射光の光量の取得処理］
図１１を参照して、画像形成装置１００の制御構造について説明する。図１１は、制御装置１０１が、光源９１から照射された照射光の光量を取得する処理を表わすフローチャートである。ステップＳ１１１０において、制御装置１０１の照射制御部１１０は、第１の波長を有する第１照射光９０１ａ（近赤外線）を照射するように、第１光源９１ａに指示信号を出力する。
【００８７】
ステップＳ１１１５において、制御装置１０１は、光学センサー９２から光量を取得したか否かを光学センサー９２から受け付けた情報に基づいて判定する。光学センサー９２は第１光源９１ａが照射した第１照射光９０１ａを受光した場合に、第１照射光９０１ａの光量を制御装置１０１に出力する。制御装置１０１は、光学センサー９２から光量を取得したと判定すると（ステップＳ１１１５においてＹＥＳ）、制御をステップＳ１１２０に切替える。そうでない場合には（ステップＳ１１１５においてＮＯ）、制御装置１０１は、制御をステップＳ１１２５に切替える。
【００８８】
ステップＳ１１２０において、照射制御部１１０は、第２の波長を有する第２照射光９０１ｂ（青色の光線）を照射するように、第２光源９１ｂに指示信号を出力する。制御装置１０１は、第１光源９１ａに指示信号を出力するタイミングとは異なるタイミングで、第２光源９１ｂに指示信号を出力する。指示信号は、制御装置１０１から光源９１に対して出力される信号であり、光源９１に対して照射光を照射するように指示する信号である。
【００８９】
ステップＳ１１２５において、制御装置１０１は、タイマー（図示せず）を用いて、第１照射光９０１ａの光量を取得したか否かを判定した時点から経過した時間を計測する。所定期間（例えば、１分間）を経過してタイムアウトした場合には（ステップＳ１１２５においてＹＥＳ）、制御装置１０１は、図１１の処理を終了する。そうでない場合には（ステップＳ１１２５においてＮＯ）、制御装置１０１は、ステップＳ１１１５の制御を繰り返し実行する。
【００９０】
ステップＳ１１３０において、制御装置１０１は、光学センサー９２から光量を取得したか否かを判定する。光学センサー９２は第２光源９１ｂが照射した第２照射光９０１ｂを受光した場合に、第２照射光９０１ｂの光量を制御装置１０１に出力する。制御装置１０１は光学センサー９２から光量を取得したと判定すると（ステップＳ１１３０においてＹＥＳ）、制御をステップＳ１１３５に切替える。そうでない場合には（ステップＳ１１３０においてＮＯ）、制御装置１０１は、制御をステップＳ１１４０に切替える。
【００９１】
ステップＳ１１３５において、制御装置１０１は、光学センサー９２から取得した第１照射光９０１ａの光量と、第２照射光９０１ｂ光量とを記憶装置１２０に格納する。
【００９２】
ステップＳ１１４０において、制御装置１０１は、タイマーを用いて、第２照射光９０１ｂの光量を取得したか否かを判定した時点から経過した時間を計測する。所定期間（例えば、１分間）を経過してタイムアウトした場合には（ステップＳ１１４０においてＹＥＳ）、制御装置１０１は、図１１の処理を終了する。そうでない場合には（ステップＳ１１４０においてＮＯ）、制御装置１０１は、ステップＳ１１３０の制御を繰り返し実行する。
【００９３】
［透過光の光量の取得処理］
図１２は、制御装置１０１が、記録材Ｓを透過した透過光の光量を取得する処理を表わすフローチャートである。図１２を参照して、ステップＳ１２１０において、制御装置１０１は、タイミングセンサー８７から記録材Ｓを検出した検出信号を取得したか否かを判定する。制御装置１０１は、タイミングセンサー８７から検出信号を取得したと判定すると（ステップＳ１２１０においてＹＥＳ）、制御をステップＳ１２１５に切替える。そうでない場合には（ステップＳ１２１０においてＮＯ）、制御装置１０１は、制御をステップＳ１２２０に切替える。
【００９４】
ステップＳ１２１５において、制御装置１０１は、タイミングセンサー８７から検出信号を取得後に、第１光源９１ａに指示信号を出力する。
【００９５】
ステップＳ１２２０において、制御装置１０１は、タイマーを用いて、タイミングセンサー８７から検出信号が取得された時点から経過した時間を計測する。所定期間（例えば、１分間）を経過してタイムアウトした場合には（ステップＳ１２２０においてＹＥＳ）、制御装置１０１は、図１２の処理を終了する。そうでない場合には（ステップＳ１２２０においてＮＯ）、制御装置１０１は、ステップＳ１２１０の制御を繰り返し実行する。
【００９６】
ステップＳ１２２５において、制御装置１０１は、光学センサー９２から光量を取得したか否かを判定する。光学センサー９２は、第１照射光９０１ａが記録材Ｓを透過した第１透過光を受光した場合に、第１透過光の光量を制御装置１０１に出力する。制御装置１０１は、光学センサー９２から光量を取得したと判定すると（ステップＳ１２２５においてＹＥＳ）、制御をステップＳ１２３０に切替える。そうでない場合には（ステップＳ１２２５においてＮＯ）、制御装置１０１は、制御をステップＳ１２３５に切替える。
【００９７】
ステップＳ１２３０において、制御装置１０１は、第２光源９１ｂに指示信号を出力する。制御装置１０１は、第１光源９１ａに指示信号を出力するタイミングとは異なるタイミングで、第２光源９１ｂに指示信号を出力する。
【００９８】
ステップＳ１２３５において、制御装置１０１は、タイマーを用いて、第１照射光９０１ａの光量を取得したか否かを判定した時点から経過した時間を計測する。所定期間（例えば、１分間）を経過してタイムアウトした場合には（ステップＳ１２３５においてＹＥＳ）、制御装置１０１は、図１２の処理を終了する。そうでない場合には（ステップＳ１２３５においてＮＯ）、制御装置１０１は、ステップＳ１２２５の制御を繰り返し実行する。
【００９９】
ステップＳ１２４０において、制御装置１０１は、光学センサー９２から光量を取得したか否かを判定する。光学センサー９２は、第２照射光９０１ｂが記録材Ｓを透過した第２透過光を受光した場合に、第２透過光の光量を制御装置１０１に出力する。制御装置１０１は光学センサー９２から光量を取得したと判定すると（ステップＳ１２４０においてＹＥＳ）、制御をステップＳ１２４５に切替える。そうでない場合には（ステップＳ１２４０においてＮＯ）、制御装置１０１は、制御をステップＳ１２５０に切替える。
【０１００】
ステップＳ１２４５において、制御装置１０１は、記録材の種類を判定する。記録材の種類の判定処理は後述する。
【０１０１】
ステップＳ１２５０において、制御装置１０１は、タイマーを用いて、第２照射光９０１ｂの光量を取得したか否かを判定した時点から経過した時間を計測する。時間の計測により所定期間（例えば、１分間）を経過してタイムアウトした場合には（ステップＳ１２５０においてＹＥＳ）、制御装置１０１は、図１２の処理を終了する。そうでない場合には（ステップＳ１２５０においてＮＯ）、制御装置１０１は、ステップＳ１２４０の制御を繰り返し実行する。
【０１０２】
ステップＳ１２５５において、制御装置１０１は、記録材Ｓの坪量を導出する。坪量の導出処理は後述する。
【０１０３】
［記録材Ｓの種類の判定処理］
図１３は、第１の実施の形態における制御装置１０１が記録材Ｓの種類を判定する処理を表わすフローチャートである。図１３を参照して、ステップＳ１３１０において、制御装置１０１は、予め定められた判定基準（例えば、普通紙に用いられる判定基準６１１および判定基準７１１）を記憶装置１２０から読み出す。
【０１０４】
ステップＳ１３１５において、制御装置１０１は、坪量閾値１２６を記憶装置から読み出す。
【０１０５】
ステップＳ１３２０において、制御装置１０１は、判定基準６１１を用いて、第１透過率に対応する第１坪量を導出する。
【０１０６】
ステップＳ１３２５において、制御装置１０１は、判定基準７１１を用いて、第２透過率に対応する第２坪量を導出する。
【０１０７】
ステップＳ１３３０において、制御装置１０１は、第１坪量と第２坪量との差の値が坪量閾値１２６の値未満か否かを判定する。第１坪量と第２坪量との差が坪量閾値１２６の値未満の場合に（ステップＳ１３３０においてＹＥＳ）、制御をステップＳ１３３５に切替える。そうでない場合には（ステップＳ１３３０においてＮＯ）、制御装置１０１は、制御をステップＳ１３４０に切替える。
【０１０８】
ステップＳ１３３０において、制御装置１０１は、記録材Ｓの種類をコート紙と判定する。
【０１０９】
ステップＳ１３４０において、制御装置１０１は、記録材Ｓの種類を普通紙と判定する。画像形成装置１００は、坪量差を表わす閾値を用いることで、記録材Ｓの種類を正確に判定できる。
【０１１０】
［記録材Ｓの坪量の導出処理］
図１４は、第１の実施の形態における制御装置１０１が記録材Ｓの坪量を導出する処理を表わすフローチャートである。図１４を参照して、ステップＳ１４１０において、制御装置１０１は、図１３で示した記録材Ｓの種類の判定結果に基づいて、記録材Ｓの判定結果が普通紙か否かを判断する。制御装置１０１は、判定結果が普通紙の場合には（ステップＳ１４１０においてＹＥＳ)、制御をステップＳ１４１５に切替える。そうでない場合には（ステップＳ１４１０においてＮＯ）、制御装置１０１は、制御をステップＳ１４２０に切替える。
【０１１１】
ステップＳ１４１５において、制御装置１０１は、図１３の処理において、第１坪量と第２坪量とを記憶装置１２０から読み出す。
【０１１２】
ステップＳ１４２０において、制御装置１０１は、コート紙の第１波長における判定基準６１２を記憶装置１２０から読み出す。
【０１１３】
ステップＳ１４２５において、制御装置１０１は、第１坪量と第２坪量とを相加平均した平均坪量を導出する。制御装置１０１は、導出した坪量に応じて、定着部５０への温度制御等を実行する。
【０１１４】
ステップＳ１４３０において、制御装置１０１は、コート紙の判定基準６１２を用いて、第１透過率に対応する坪量を導出する。制御装置１０１は、導出した坪量を設定し、設定された坪量に応じて、定着部５０への温度制御等を実行する。画像形成装置１００は、記録材Ｓの種類に応じた正確な坪量を導出できる。
【０１１５】
なお、記録材Ｓの種類がコート紙と判定された場合に、制御装置１０１は、第１透過率に対応する坪量と第２透過率に対応する坪量とを相加平均した坪量を導出し、当該坪量をコート紙の記録材Ｓの坪量として設定してもよい。画像形成装置１００は、図１４における処理を実行することで、記録材Ｓの種類が同じで記録材Ｓを構成する成分が異なる場合であっても、当該記録材Ｓの正確な坪量を導出できる。
【０１１６】
また、ステップＳ１４１５において、予め記憶装置１２０に格納された第１坪量および第２坪量を用いることについて説明した。これに対して、制御装置１０１は第１坪量および第２坪量を判定基準に基づいて算出してもよい。
【０１１７】
＜変形例＞
第１の実施の形態では、制御装置１０１が平均坪量を算出する場合は、相加平均により算出する。これに対して、制御装置１０１は、例えば、加重平均等の相加平均以外の平均により平均坪量を導出してもよい。画像形成装置１００は、坪量の導出方法を選択できる。
【０１１８】
第１の実施の形態では、制御装置１０１が記録材Ｓの種類を判定した場合、自動で種類が設定されて坪量が導出される。これに対して、種類の設定はユーザーが手動で行ってもよい。より具体的には、制御装置１０１は、画像形成装置１００を使用するユーザーが、操作パネル１３０を用いて手動で入力した記録材Ｓの種類の設定を受け付けてもよい。画像形成装置１００は、ユーザーにからの印刷条件についての指示を受け付けることができる。
【０１１９】
第１の実施の形態では、第１の波長を有する第１照射光９０１ａおよび第２の波長を有する第２照射光９０１ｂそれぞれの照射光の光量は予め設定されている。これに対して、制御装置１０１は、第１照射光９０１ａおよび第２照射光９０１ｂそれぞれの照射光の光量を調整してもよい。例えば、制御装置１０１は、使用される記録材Ｓの種類が予測されている場合は、予測された記録材Ｓの種類に応じた照射光の光量を大きくしてもよい。より具体的には、第１照射光９０１ａの光量と、第２照射光９０１ｂの光量との比を２：１とする等である。画像形成装置１００は、より相関の高い波長を有する照射光を用いて坪量を導出できる。
【０１２０】
第１の実施の形態では、制御装置１０１は、普通紙およびコート紙の記録材Ｓの種類を判定する。これに対して、制御装置１０１は、例えば、グロス紙または再生紙等の種類を判定してもよい。画像形成装置１００は、記録材Ｓの種類を限定することなく判定できる。
【０１２１】
第１の実施の形態では、光源９１が光を照射して、制御装置１０１が坪量を導出する。これに対して、制御装置１０１は、光以外に例えば超音波等を用いて、坪量を導出してもよい。画像形成装置１００は、光源９１以外の装置を用いて、坪量を導出できる。
【０１２２】
第１の実施の形態では、第１の波長（例えば、７５０ｎｍから９００ｎｍ）を有する第１照射光９０１ａでは近赤外光線を用い、第２の波長（例えば、４００ｎｍから４７０ｎｍ）を有する第２照射光９０１ｂでは可視光に含まれる青色の光線を用いる。これらの波長以外の別の波長として、例えば、３８０ｎｍ〜４００ｎｍの間の波長を含む可視光に含まれる紫色の光線の照射光を用いてもよい。また、例えば、３１５ｎｍ〜４００ｎｍの間の波長を含む可視光よりも波長の短い紫外光線の照射光を用いてもよい。画像形成装置１００は、透過率と坪量との相関が高い波長を有する複数の照射光から記録材Ｓの透過率を算出するのに適した波長を有する照射光を選択して坪量を導出できる。
【０１２３】
制御装置１０１は、別の波長を有する照射光の光量および透過光の光量から透過率を算出し、別の波長における判定基準を用いて、透過率に対応する坪量を導出する。制御装置１０１は、導出された坪量と第１坪量と第２坪量とを平均した平均坪量を導出する。画像形成装置１００は、透過率と坪量との相関の高い波長を有する照射光を照射する光源を追加し、追加した光源における坪量と、他の光源の坪量との平均坪量を導出することで、一層正確な坪量を導出できる。
【０１２４】
第１の実施の形態では、制御装置１０１は、最初に、判定基準６１１に応じた、第１透過率に対応する第１坪量を導出する。また制御装置１０１は、判定基準７１１に応じた、第２透過率に対応する第２坪量を導出する。次に、制御装置１０１は、第１坪量と第２坪量とを相加平均した平均坪量を導出する。これに対して、制御装置１０１、最初に、第１透過率と第２透過率を平均した平均透過率を算出する。次に、制御装置１０１は、判定基準を用いて平均透過率に対応する坪量を導出してもよい。記憶装置１２０は、平均透過率と坪量とが対応付けられた判定基準は予め記憶装置１２０に格納する。制御装置１０１は、記憶装置１２０に格納された平均透過率と坪量とが対応付けられた判定基準を読み出して、坪量の導出処理を実行する。画像形成装置１００は、複数の坪量の方法がある場合には、制御装置１０１が坪量を導出するときの処理負荷が小さくなる坪量の導出方法を選択できる。画像形成装置１００は選択した導出方法により、記録材Ｓの正確な坪量を導出することができる。
【０１２５】
第１の実施の形態では、制御装置１０１が、第１坪量と第２坪量との差の値を算出して、坪量閾値１２６を用いて記録材Ｓの種類を判定する。これに対して、制御装置１０１は第１坪量と第２坪量との差以外にも、例えば、第１坪量と第２坪量との比に基づいて、記録材Ｓの種類を判定してもよい。画像形成装置１００は、坪量を導出する場合に一層演算の負荷が小さい導出処理を選択できる。
【０１２６】
今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【符号の説明】
【０１２７】
２０  スキャナー、２１  カバー、２２  原稿台、２３  用紙トレイ、２５  プリンター、４０  ガイド、４１  搬送経路、４８  トレイ、５０  定着部、５１  加圧ローラー、５２  定着ベルト、５３  加熱ローラー、５４  ヒーター、６０，６０Ａ，６０Ｄ  収納部、６１  給紙ローラー、６２  搬送ローラー、６３  センサー、６４  手差しトレイ、６５  反転ローラー、７０  画像形成部、８７  タイミングセンサー、８８  タイミングローラー、８９  切替爪、９０  光量検出部、９１  光源、９１ａ  第１光源、９１ｂ  第２光源、９２  光学センサー、１００  画像形成装置、１０１  制御装置、１０２  ＲＯＭ、１０３  ＲＡＭ、１０４  通信インターフェイス、１１０  照射制御部、１１２  透過率算出部、１１４  種類判定部、１１６  坪量導出部、１１８  温度制御部、１２０  記憶装置、１２２  制御プログラム、６１１，６１２，７１１，７１２  判定基準、１２６  坪量閾値、１３０  操作パネル、４００  搬送方向、６０１，６０２  指標、９０１ａ  第１照射光、９０１ｂ  第２照射光。
【図１】
2020064004.tif 000003
【図２】
2020064004.tif 000004
【図３】
2020064004.tif 000005
【図４】
2020064004.tif 000006
【図５】
2020064004.tif 000007
【図６】
2020064004.tif 000008
【図７】
2020064004.tif 000009
【図８】
2020064004.tif 000010
【図９】
2020064004.tif 000011
【図１０】
2020064004.tif 000012
【図１１】
2020064004.tif 000013
【図１２】
2020064004.tif 000014
【図１３】
2020064004.tif 000015
【図１４】
2020064004.tif 000016